(57)【要約】【課題】多機能化されてもユーザにとって煩わしい思いせず、且つ電力消費を抑制できる電子装置を提供すること。【解決手段】冷蔵庫（１）は、設定すべき機能を全て設定する詳細設定モードと、必要最小限の機能のみを設定するスキップモードと、が選択可能であり、初期設定時に、スキップモードが選択されたとき、機能設定部（１０６）によって、最も運転効率が高くなるように、スキップされた機能の設定を行なう。【選択図】図１
2019045069.tif 000002
【特許請求の範囲】
【請求項１】
装置が有する各機能を設定する機能設定部を備えた電子装置であって、
設定すべき機能を全てユーザに設定させる第１設定モードと、上記第１設定モードにおいて設定する機能の少なくとも一つの機能のユーザによる設定をスキップする第２設定モードと、が選択可能であり、
上記機能設定部は、
初期設定時に、上記第２設定モードが選択されたとき、当該電子装置において最も運転効率が高くなるように、スキップされた機能の設定を行なうことを特徴とする電子装置。
【請求項２】
上記第２設定モードは、ユーザによって設定可能な機能の一部のみをユーザに設定させる一部設定モードであることを特徴とする請求項１に記載の電子装置。
【請求項３】
上記第２設定モードは、ユーザによって設定可能な全ての機能の設定をスキップするスキップモードであることを特徴とする請求項１または２に記載の電子装置。
【請求項４】
上記第２設定モードが選択されたら、当該電子装置の省電力化の程度をユーザに設定させる省電力設定モードを実行することを特徴とする請求項１〜３の何れか１項に記載の電子装置。
【請求項５】
上記省電力設定モードは、電子装置における負荷の程度をユーザに設定させる負荷設定モードであることを特徴とする請求項４に記載の電子装置。
【請求項６】
上記電子装置が冷蔵庫である場合、
上記負荷設定モードは、冷却機能を実現するための少なくともコンプレッサの回転数をユーザに設定させる制御モードであることを特徴とする請求項５に記載の電子装置。
【請求項７】
上記制御モードは、冷蔵庫が備える外気温センサによって検知された外気温と、現在時刻とから、上記コンプレッサの回転数を制御することを特徴とする請求項６に記載の電子装置。
【請求項８】
上記制御モードは、ユーザの買い物の頻度に応じて、上記コンプレッサの回転数を制御することを特徴とする請求項６に記載の電子装置。
【発明の詳細な説明】
【技術分野】
【０００１】
本発明は、種々の機能を備えた電子装置に関する。
【背景技術】
【０００２】
近年、ユーザにとって良好な操作性が得られる電子装置が種々提案されている。例えば、特許文献１には、機器の操作に関して視覚的と音声を使い分けることにより、良好な操作性を得る家庭用電気機器が開示されている。
【先行技術文献】
【特許文献】
【０００３】
【特許文献１】特開２００２−１１２７５号公報（２００２年１月１５日公開）
【発明の概要】
【発明が解決しようとする課題】
【０００４】
しかしながら、一般的な電子装置においては、多機能化すればするほどユーザにとって便利で、良好な操作性が得られるものの、初期設定時における各機能の設定が煩わしくなるという問題が生じる。
【０００５】
また、電子装置において多機能化し、各機能を実行するように設定すれば、消費電力も多くなるという問題も生じる。
【０００６】
本発明の一態様は、多機能化されてもユーザにとって煩わしい思いせず、且つ電力消費を抑制できる電子装置を提供することを目的とする。
【課題を解決するための手段】
【０００７】
上記の課題を解決するために、本発明の一態様に係る電子装置は、装置が有する各機能を設定する機能設定部を備えた電子装置であって、設定すべき機能をユーザに全て設定させる第１設定モードと、上記第１設定モードにおいて設定する機能の少なくとも一つの機能のユーザによる設定をスキップする第２設定モードと、が選択可能であり、上記機能設定部は、初期設定時に、上記第２設定モードが選択されたとき、当該電子装置において最も運転効率が高くなるように、スキップされた機能の設定を行なうことを特徴とする。
【発明の効果】
【０００８】
本発明の一態様によれば、多機能化されてもユーザにとって煩わしい思いせず、且つ電力消費を抑制できる。
【図面の簡単な説明】
【０００９】
【図１】本発明の実施形態１に係る冷蔵庫の要部構成を示すブロック図である。
【図２】図１に示す冷蔵庫の外観を示す図である。
【図３】図１に示す冷蔵庫を含んだネットワークの概要を示すブロック図である。
【図４】図１に示す冷蔵庫における初期設定時の各種モードの処理の流れを示す図である。
【図５】初期設定時にスキップする機能の一覧を示す図である。
【図６】本発明の実施形態２に係る冷蔵庫における初期設定の設定画面の一例を示す図である。
【図７】本発明の実施形態３に係る冷蔵庫における省電力処理の流れを示すフローチャートである。
【図８】本発明の実施形態４に係る冷蔵庫における省電力処理の流れを示すフローチャートである。
【発明を実施するための形態】
【００１０】
〔実施形態１〕
本発明の一実施形態について説明すれば以下の通りである。なお、本実施形態及び以降の実施形態２〜４において、本発明の電子装置を冷蔵庫に適用した例について説明する。
【００１１】
〔冷蔵庫の構成〕
本実施形態に係る冷蔵庫の構成を図１に基づいて説明する。図１は、冷蔵庫１の要部構成の一例を示すブロック図である。冷蔵庫１は、庫内に食品などを収容し、庫内を低温に保つことにより当該食品などを保存する装置である。図示のように、冷蔵庫１は、制御部１００、記憶部１１０、送受信部（受信部）１２０、周囲温度検出器（外気温センサ）１３１、ドアスイッチ１３２、製氷装置１３３、ドア開放装置１３４、圧縮機１３５、送風機１３６、ダンパ１３７、霜取りヒータ１３８、イオン発生装置１３９、および表示装置１４０を含む。
【００１２】
制御部１００は、冷蔵庫１の各部を統括して制御する。制御部１００には、冷却制御部１０１、製氷制御部１０２、ドア制御部１０３、モード制御部１０４、およびイオン制御部１０５が含まれている。
【００１３】
冷却制御部１０１は、冷蔵庫１の庫内を冷却する制御を行う。具体的には、冷却制御部１０１は、冷却機能を実行するために、圧縮機（コンプレッサ）１３５を駆動させることにより、冷蔵庫１の庫内の各部を設定された温度まで冷却する。また、冷却制御部１０１は、送風機１３６およびダンパ１３７を駆動させることにより、冷却した空気を庫内の各部に送出する。
【００１４】
製氷制御部１０２は、自動製氷に関する制御を行う。具体的には、製氷制御部１０２は、製氷皿への給水、製氷皿内の氷を取り出す処理等を製氷装置１３３に実行させる。
【００１５】
ドア制御部１０３は、冷蔵庫１のドアを開ける制御を行う。具体的には、ドア制御部１０３は、ユーザがドアを開ける操作（例えばドアに軽く触れる、ドアに手を近付ける等の操作）を行ったときに、ドア開放装置１３４にドアを開放させる。なお、上記のような操作は、ドアにタッチセンサや人感センサ等を設けることにより検出可能である。
【００１６】
モード制御部（機能設定部）１０４は、冷蔵庫１の動作モードを切り替える。動作モードには、例えば冷蔵庫１の消費電力が通常の動作状態と比べて少なくなる省電力モード、冷凍室の設定温度を下げる低温冷凍モード、および庫内温度を急速に下げる急冷モード等が含まれていてもよい。
【００１７】
イオン制御部１０５は、イオン発生装置１３９の動作を制御する。具体的には、イオン制御部１０５は、冷蔵庫１のドアが開けられたことをドアスイッチ１３２の検出回路が検出したときに、イオン発生装置１３９にイオンを発生させる。これにより、冷蔵庫１の庫内に新たに入れられた食品から発する臭いを抑えることができる。
【００１８】
機能設定部１０６は、冷蔵庫１が有する各機能を設定する。機能設定部１０６は、選択された設定モードに応じて各機能を設定する。設定モードには、設定すべき機能をユーザに全て設定させる第１設定モード（詳細設定モード）と、上記第１設定モード（詳細設定モード）において設定する機能の少なくとも一つの機能のユーザによる設定をスキップする第２設定モード（一部設定モード：簡単設定モード、スキップモード）とがある。
【００１９】
特に、機能設定部１０６は、初期設定時に、第２設定モードのうち、スキップモードが選択されたとき、冷蔵庫１において最も運転効率が高くなるように、スキップされた機能の設定を行なう。例えば、スキップモードが選択されると、機能設定部１０６は、自動的に、冷蔵庫１における種々の付加機能（電動ドア、無線ＬＡＮ等）を一括してＯＦＦに設定する。
【００２０】
記憶部１１０は、冷蔵庫１における処理で用いる各種データを記憶している。送受信部１２０は、通信装置２との通信を行う。具体的には、送受信部１２０は、通信装置２から冷蔵庫１に対する制御命令を受信する。また、送受信部１２０は、冷蔵庫１の運転状況（現在の温度設定、エラー情報、霜取りの必要性を示す評価値等）を通信装置２に送信する。
【００２１】
周囲温度検出器１３１は、冷蔵庫周囲の温度を検出する。検出した温度に応じて、圧縮機１３５の駆動制御が行なわれる。
【００２２】
ドアスイッチ１３２は、冷蔵庫１のドアの開閉状態を検出するためのものである。ドアスイッチ１３２は、例えば、冷蔵庫１のドアの開閉部に設けられており、ドアが閉まった状態ではＯＮ信号を出力し、ドアが開いた状態では信号を出力しないスイッチであってもよい。ドアスイッチ１３２のＯＮ／ＯＦＦの状態は、制御部１００内部の検出回路（図示せず）によって検出される。
【００２３】
製氷装置１３３は、自動で製氷する装置であり、製氷皿、製氷皿に給水する給水タンク、製氷皿から氷を取り出すための駆動機構等を含む。
【００２４】
ドア開放装置１３４は、冷蔵庫１のドアを自動で開放するための装置である。具体的には、ドア制御部１０３がドア開放装置１３４を駆動させることにより、ドア開放装置１３４は冷蔵庫１のドアを開放する。
【００２５】
圧縮機１３５は、冷蔵庫１の内部に収容された気体冷媒を圧縮する。圧縮された気体冷媒は、図示しない凝縮器で液化され、液化された冷媒が図示しない蒸発器に送り込まれて蒸発器で気化することにより、蒸発器の周囲の空気が冷却される。なお、圧縮機１３５の回転数を上げることにより、蒸発器の周囲の空気の温度はより低くなる。
【００２６】
送風機１３６は、温度が低くなった蒸発器の周囲の空気を庫内に循環させるための送風を行う。
【００２７】
ダンパ１３７は、蒸発器と冷蔵室および冷凍室をつなぐ空気流路に設けられた弁体である。ダンパ１３７を開くことにより蒸発器で冷却された空気が冷蔵室および冷凍室に送られる状態となる。
【００２８】
霜取りヒータ１３８は、蒸発器に付着した霜を溶かすためのヒータである。
【００２９】
イオン発生装置１３９は、イオン微粒子を発生させることにより、冷蔵庫１の庫内の空気を清浄化するものである。
【００３０】
表示装置１４０は、冷蔵庫１を使用するユーザに対して各種の情報を表示する表示装置であり、例えば図２の（ａ）（ｂ）に示すように、冷蔵庫１のドア１１のユーザの目線に近い高さで取り付けられている。
【００３１】
なお、表示装置１４０は、情報を表示する表示パネル１４１上に、ユーザがタッチすることで情報の入力が行えるタッチパネル１４２が設けられた構造となっている。
【００３２】
上記構成の冷蔵庫１は、図３に示すように、冷蔵システム１０に含まれている。図３に示すように、本実施形態に係る冷蔵システム１０は、冷蔵庫１、通信装置（制御装置）２、ルータ３、情報サーバ４およびネットワーク６を含む。なお、本実施形態では、冷蔵庫１と通信装置２とを分けて記載するが、冷蔵庫１に通信装置２の機能が含まれている構成であってもよい。また、情報サーバ４によって、通信装置２の機能が実現されてもよい。
【００３３】
図３に示すように、通信装置２は、ルータ３を介して冷蔵庫１とネットワーク６とを接続している。すなわち、本実施形態では冷蔵庫１とネットワーク６とが直接接続されるのではなく、通信装置２が緩衝地帯（ＤＭＺ）としての役割を果たしている。また、ネットワーク６には、情報サーバ４が接続されている。情報サーバ４は、各種情報を、ネットワーク６を介して冷蔵庫１に送信する。なお、情報サーバ４から提供される情報を必要としない場合は、情報サーバ４は冷蔵システム１０に含まれなくてもよい。
【００３４】
（初期設定）
図４は、冷蔵庫１を初めて購入したとき等において設定する初期設定時における各設定モードにおける処理の流れを示している。ここで、初期設定は、表示装置１４０に表示されるメニューに従ってユーザが選択しながら行なうものである。この場合、ユーザは、表示装置１４０のタッチパネル１４２に対してタッチ操作を行ない、冷蔵庫１の各種機能に対して所望する設定を行なう。
【００３５】
まず、冷蔵庫１は、電源投入後の初期設定時に３つの設定モード（詳細設定モード、簡単設定モード、スキップモード）の何れかをユーザが選択することで、選択された設定モードに従って各機能の設定が行なわれ、初期設定が完了する。初期設定の完了によって、冷蔵庫１が使用可能な状態になる。
【００３６】
詳細設定モードは、冷蔵庫１が有する機能であって、設定すべき機能を全てユーザに設定させる設定モード（第１設定モード）である。例えば、図４の（ａ）に示すように、冷蔵庫１の電源投入直後に、当該冷蔵庫１のドア１１に取り付けられた表示装置１４０に、設定モード選択のメニュー画面が表示される。ここで、ユーザが詳細モードを設定すると、温度設定画面、節電２５設定画面、除菌イオン設定画面、製氷設定画面、電動ドア設定画面と順次遷移し、これらの設定が完了した時点で、初期設定が完了したことになる。
【００３７】
始めに、温度設定画面は、チルドルームの温度設定、冷蔵室の温度設定、冷凍室の温度設定が行える画面となっている。ユーザは、表示装置１４０のタッチパネル１４２を操作することで、所望する温度設定を行なう。
【００３８】
次に、温度設定が終了すると、温度設定画面の「次へ」をユーザがタッチすることで、節電２５設定画面に遷移する。
【００３９】
節電２５設定画面は、節電２５モードに設定するか否かを選択する画面となっている。ユーザは、表示装置１４０のタッチパネル１４２を操作することで、節電２５モードを実行するか否かの設定を行なう。
【００４０】
続いて、節電２５モードの設定が終了すると、節電２５設定画面の「次へ」をユーザがタッチすることで、除菌イオン設定画面に遷移する。
【００４１】
除菌イオン設定画面は、冷蔵室、チルドルームのそれぞれに除菌イオンを発生させるか否かを選択する画面となっている。ユーザは、表示装置１４０のタッチパネル１４２を操作することで、除菌イオンを発生させるか否かの設定を行なう。
【００４２】
次に、除菌イオン発生の設定が終了すると、除菌イオン設定画面の「次へ」をユーザがタッチすることで、製氷設定画面に遷移する。
【００４３】
製氷設定画面は、自動製氷を行なうか否か、製造する氷のサイズの設定を行なう画面となっている。ユーザは、表示装置１４０のタッチパネル１４２を操作することで、製氷設定を行なう。
【００４４】
続いて、製氷設定が終了すると、製氷設定画面の「次へ」をユーザがタッチすることで、電動ドア設定画面に遷移する。
【００４５】
電動ドア設定画面は、電動ドアを実行するか否かを設定する画面となっている。ユーザは、表示装置１４０のタッチパネル１４２を操作することで、電動ドアの設定を行なう。
【００４６】
最後に、電動ドアの設定が終了すると、電動ドア設定画面の「次へ」をユーザがタッチすることで、初期設定が完了する。
【００４７】
なお、各設定画面には、「次へ」への操作ボタンに加えて、「戻る」の操作ボタンが設けられている。この「戻る」をタッチすることで、一つ前の設定画面に遷移するようになっている。
【００４８】
詳細設定モードにおいて、設定する項目としては、図４の（ａ）に示す例に限定されるものではなく、他の機能を設定するようにしてもよい。
【００４９】
冷蔵庫１は、例えば図５に示すような機能を少なくとも備えている。図５に示す機能のうち、電動ドア、除菌イオン発生、節電２５については、図４の（ａ）に示す詳細設定モードにおいて設定しているが、他の冷凍モード、新鮮冷凍、無線ＬＡＮの設定も行なうようにしてもよい。
【００５０】
簡単設定モードは、上述した詳細設定モードと比較して、ユーザによる設定項目を少なくしているのが特徴である。これにより、設定項目が多い詳細設定モードによる設定を煩わしく感じるユーザに対して設定を簡単に行なうことができる。
【００５１】
簡単設定モードを実行すると、図４の（ｂ）に示すように、最初に、省電力設定に関して、「シーンで選ぶ」と「数値で選ぶ」の２つの項目の選択画面が表示装置１４０に表示される。
【００５２】
ここで、「シーンで選ぶ」をユーザがタッチすれば、買い物頻度の選択画面に遷移する。買い物頻度の選択画面では、「週末にまとめて」と「ほぼ毎日」の２つの項目が表示される。ユーザが「週末にまとめて」と「ほぼ毎日」の何れかをタッチすれば、使い方の設定画面に遷移する。
【００５３】
使い方の設定画面では、「野菜室を使わない」と「液晶表示が短くていい」の少なくとも一方をタッチすることで、簡単設定モードにおける設定が完了し、初期設定が完了したことをユーザに伝える。
【００５４】
一方、簡単設定モードの最初の選択画面において、「数値を選ぶ」をユーザがタッチすれば、図４の（ｂ）に示すように、省電力設定画面（省電力設定モード）に遷移する。省電力設定画面では、年間消費電力ダウンを設定するための設定用のバーが表示される。ユーザは、設定用のバーをタッチ操作することで、年間消費電力ダウンの所望する数値を選択する。選択完了後、省電力設定画面の「次へ」をユーザがタッチすることで、選択した数値に合わせた設定画面に遷移する。
【００５５】
図４の（ｂ）に示す例では、省電力設定画面において２０ｋＷを選択した場合の設定画面を示している。この設定画面には、年間消費電力ダウンが２０ｋＷの場合に自動的に設定される項目が示される。例えば、ＷＬＡＮ（無線通信）がＯＦＦ、電動ドアＯＦＦ、節電２５ＯＮ、新鮮冷凍ＯＦＦとなっている。ここで、ユーザが表示された設定内容に同意すれば、設定画面の「次へ」をユーザがタッチすることで、簡単設定モードにおける設定が完了し、初期設定が完了したことをユーザに伝える。
【００５６】
なお、各設定画面には、「戻る」の操作ボタンが設けられている。この「戻る」をタッチすることで、一つ前の設定画面に遷移するようになっている。
【００５７】
スキップモードは、詳細設定モードにおける設定項目を全て省略し、予め各項目の設定が完了した状態に移行する設定モードである。すなわち、初期設定画面において、スキップモードが選択されれば、予め各項目の設定が完了した設定モードとなる。この場合の設定モードでは、図５に示す項目のうち、節電２５以外の項目がＯＦＦに設定される。つまり、スキップモードが選択された場合、消費電力が多い機能（電動ドア、除菌イオン発生、冷凍モード、新鮮冷凍、無線ＬＡＮ）をＯＦＦに設定することで、冷蔵庫１において最も運転効率が高くなるようにする。
【００５８】
なお、図５には示していないが、スキップモードが選択された場合や、他の設定モードの省電力設定において、電気代安い深夜電力を使い、消費電力が比較的多い、製氷、霜取り等を行なうようにしてもよい。
【００５９】
以上のように、上記構成の冷蔵庫１によれば、購入後、初めて電源を投入して初期設定を行なう場合、ユーザの好みに応じて３つのモードが選択できる。冷蔵庫１の機能を自身で詳細に設定することを好むユーザであれば、詳細設定モードを選択し、冷蔵庫１の機能を簡単に設定したいと感じるユーザであれば、簡単設定モードを選択し、冷蔵庫１を取敢えず使用したい、あるいは設定が煩わしいと感じるユーザであれば、スキップモードを選択すればよい。
【００６０】
しかも、スキップモードを選択すれば、冷蔵庫１の運転効率が最も高くなるように各機能が設定されるようになるため、ユーザは特に意識することなく省電力化を図ることが可能となる。
【００６１】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００６２】
前記実施形態１では、冷蔵庫１の電源投入後の初期設定時に３つの設定モード（詳細設定モード、簡単設定モード、スキップモード）の何れかがユーザによって選択されることで、初期設定が完了する例について説明したが、本実施形態では、初期設定時に、省電力化の程度をユーザに設定させることで、初期設定が完了する例について説明する。
【００６３】
図６は、本実施形態に係る冷蔵庫１における初期設定の設定画面の一例を示している。
【００６４】
まず、冷蔵庫１の電源投入後、図６の（ａ）に示す初期設定画面が表示装置１４０に表示される。この初期設定画面で「スキップ」をタッチ操作すれば、前記実施形態１で説明したスキップモードが実行され、「設定」をタッチ操作すれば、図６の（ｂ）〜（ｃ）の何れかの省電力設定画面に遷移する。
【００６５】
図６の（ｂ）に示す省電力設定画面では、「＋」「−」をユーザがタッチ操作することで、省電力の割合（程度）を設定するようになっている。つまり、「＋」を押すことで、省電力効果を大きくし、「−」を押すことで、省電力効果を小さくすることができる。
【００６６】
図６の（ｃ）に示す省電力設定画面では、図６の（ｂ）に示す省電力設定画面に加えて、「＋」「−」をタッチ操作することで、消費電力ダウンの目安を数値で示している。つまり、「＋」を押すことで、数値が大きくなり、省電力効果が大きいことを示し、「−」を押すことで、数値が小さくなり、省電力効果が小さいことを示している。
【００６７】
図６の（ｂ）（ｃ）においては、省電力設定画面の「完了」ボタンをユーザがタッチ操作することで、設定した消費電力になるように、各機能が自動的に設定され、初期設定が完了する。
【００６８】
一方、図６の（ｄ）に示す省電力設定画面では、省電力を実現するための具体的な項目を選択するようになっている。ここでは、「液晶表示が短くていい」と「野菜室はつかわない」の選択画面となっている。この２つの項目は、少なくとも一方を選択すればよい。
【００６９】
図６の（ｄ）に示す省電力設定画面において、「液晶表示が短くていい」と「野菜室はつかわない」の少なくとも一方を選択し、「次へ」のボタンをタッチ操作することで、初期設定が完了する。
【００７０】
以上のように、冷蔵庫購入後、最初に省電力設定のみを行なうことで、ユーザが購入した冷蔵庫１の特徴を十分知ることなく、消費電力を抑えて使用することを可能にしている。
【００７１】
以下の実施形態３，４では、冷蔵庫１における負荷の程度（圧縮機１３５、送風機１３６の回転数）をユーザに設定させる負荷設定モードについて説明する。
【００７２】
〔実施形態３〕
本発明の他の実施形態について、以下に説明する。なお、説明の便宜上、上記実施形態にて説明した部材と同じ機能を有する部材については、同じ符号を付記し、その説明を繰り返さない。
【００７３】
本実施形態では、冷蔵庫１の初期設定時に時刻を設定することで、外気温と現在時刻とにより、圧縮機１３５、送風機１３６の回転数を制御して省電力化を図る例について説明する。すなわち、本実施形態では、冷蔵庫１において負荷（圧縮機１３５、送風機１３６の回転数）を、外気温と現在時刻とで負荷の程度を設定する負荷制御モード（制御モード）を実行する例について説明する。
【００７４】
通常、周囲温度検出器１３１が予め設定した温度以上の温度（高外気温）を検知すると、圧縮機１３５の回転数をアップさせている。この場合、高外気温を検知した時点で、圧縮機１３５の回転数をアップさせているだけなので、これから外気温が下がることが予測されるような場合であっても、圧縮機１３５の回転数をアップさせてしまい、消費電力量の増加になっていた。
【００７５】
本実施形態では、周囲温度検出器１３１が予め設定した温度以上の温度（高外気温）を検知すると、現在の時刻を取得し、現在の時刻を考慮して圧縮機１３５の回転数をアップさせるか否かを判断することで、不要な圧縮機１３５の回転数のアップを無くして、消費電力の増加を抑制している。
【００７６】
図７は、本実施形態に係る冷蔵庫１における省電力処理の流れを示すフローチャートである。
【００７７】
まず、モード制御部１０４は、外気温（周囲温度）Ｔが閾値Ｔｈ以上か否かを判断する（ステップＳ１１）。具体的には、周囲温度検出器１３１にて検出した外気温Ｔが閾値Ｔｈ以上か否かを判断する。
【００７８】
ステップＳ１１において、外気温Ｔが閾値Ｔｈ以上であると判断した場合（Ｙｅｓ）、現在時刻を取得し（ステップＳ１２）、現在時刻ｔが１４：００以前か否かを判断する（ステップＳ１３）。
【００７９】
ステップＳ１３において、現在時刻ｔが１４：００以前であると判断した場合（Ｙｅｓ）、圧縮機１３５、送風機１３６の回転数をアップさせる（ステップＳ１４）。ここでは、現在時刻ｔが１４：００以前であれば、これらから外気温がさらに上昇すると予測できるため、圧縮機１３５、送風機１３６の回転数をアップさせている。なお、閾値時間としての１４：００については、これに限定されるものではなく、冷蔵庫１を設置する地域において一日のうち最も気温が高くなると考えられる時刻であればよい。
【００８０】
一方、Ｓ１３において、現在時刻ｔが１４：００より後であると判断した場合（Ｎｏ）、圧縮機１３５、送風機１３６の回転数を現状のままとする（ステップＳ１５）。ここでは、現在時刻ｔが１４：００より後であれば、これらから外気温が下がると予測できるため、圧縮機１３５、送風機１３６の回転数をアップさせず、現状のままとしている。なお、外気温Ｔが閾値Ｔｈよりも高いため、現在時刻ｔが１４：００より後であると判断した場合であっても、圧縮機１３５、送風機１３６の回転数を上げることが好ましい。但し、回転数の上げ幅は、現在時刻ｔが１４：００以前であると判断した場合の回転数の上げ幅よりも小さくする。
【００８１】
以上のように、外気温と現在時刻とにより、圧縮機１３５、送風機１３６の回転数を制御すれば、外気温が閾値よりも高い場合であっても、これらか外気温が下がると予測される場合であれば、圧縮機１３５、送風機１３６お回転数を維持または上げ幅を小さくするようになっている。これにより、圧縮機１３５、送風機１３６の不要な回転数のアップを無くすことができるため、省電力化を図ることが可能となる。
【００８２】
〔実施形態４〕
本発明の他の実施形態について、以下に説明する。なお、説明の便宜上、上記実施形態にて説明した部材と同じ機能を有する部材については、同じ符号を付記し、その説明を繰り返さない。
【００８３】
本実施形態では、前記実施形態１で説明した簡単設定モードにおいて設定した「買い物の頻度」に応じた省電力処理について説明する。
【００８４】
図８は、本実施形態に係る冷蔵庫における省電力処理の流れを示すフローチャートである。
【００８５】
まず、モード制御部１０４は、扉の開閉の有無を判断する（ステップＳ２１）。ここでは、ドアスイッチ１３２からのＯＮ／ＯＦＦの信号に基づいて判断する。
【００８６】
次に、ステップＳ２１において、扉開閉有りと判断した場合（Ｙｅｓ）、ステップＳ２２に移行し、ドア開継続時間ｔが閾値Ｔｈ以上か否かを判断する。一方、扉開閉無しと判断した場合（Ｎｏ）、ステップＳ２３に移行し、省エネモードを実行する。この省エネモードとは、初期設定時に設定された機能に応じて実行されるモードである。
【００８７】
ステップＳ２２において、ドア開継続時間ｔが閾値Ｔｈ以上であると判断した場合（Ｙｅｓ）、初期設定時に設定した買い物頻度の確認を行なう（ステップＳ２４）。一方、ドア開継続時間ｔが閾値Ｔｈ未満であると判断した場合（Ｎｏ）、ステップＳ２５に移行し、省エネモードを継続するか、あるいは軽負荷モードを実行する。ここで、軽負荷モードとは、冷蔵庫１に係る負荷を軽減したモードである。なお、軽負荷モード、後述する高負荷モードを含めて負荷設定モードとする。
【００８８】
次に、モード制御部１０４は、ステップＳ２４において、買い物の頻度が「週末にまとめて」に設定されているか、「ほぼ毎日」に設定されているかを確認する。ここで、買い物の頻度が「週末にまとめて」（１）に設定されている場合、ドア開時間が長く、しかも、冷蔵庫１に収納する物の量も多いと予測されるため、ステップＳ２６に移行し、「高負荷モード」に設定し、圧縮機１３５および送風機１３６の回転数を大幅に上昇させる。一方、買い物の頻度が「ほぼ毎日」（２）に設定されている場合、ドア開時間は長いが、冷蔵庫１に収納する物の量は少ないと予測されるため、ステップＳ２７に移行し、「軽負荷モード」に設定し、圧縮機１３５および送風機１３６の回転数を小幅に上昇させる。
【００８９】
以上のように、ドア開の時間と、買い物の頻度に応じて、冷蔵庫１の高負荷モード、軽負荷モードを設定することで、ユーザの生活パターンに応じた省エネを実行することができる。つまり、食品の買い物頻度は、上述のように、家庭により「週末にまとめて」と、「ほぼ毎日」に大きく２つに分類できる。この上記「週末にまとめて」の場合、平日は冷蔵庫内への大量の食品投入の可能性が低いと判断し、扉の開閉があっても、冷蔵庫の冷却能力を急激に上げる制御を行わない。一方、週末の扉開時間が長い場合、直後に冷却能力を急激に上げて食品の温度上昇を防ぐ。このように、初期設定時において、買い物の頻度を選択肢として示すことで、省エネを実行するために、冷蔵庫１の制御や機能の知識がないユーザでも悩まず選択することができる。
【００９０】
以上の実施形態１〜４において、本発明の電子装置を冷蔵庫１に適用した例について説明したがこれに限定されるものではなく、装置の電源を投入した後、初期設定が必要であり、且つ消費電力が大きいような電子装置あればよい。例えば無線ＬＡＮを搭載した、エアコン、テレビ等の電子装置に本発明を適用することが可能である。
【００９１】
〔ソフトウェアによる実現例〕
冷蔵庫１の制御ブロック（特に制御部１００のモード制御部１０４、機能設定部１０６）は、集積回路（ＩＣチップ）等に形成された論理回路（ハードウェア）によって実現してもよいし、ソフトウェアによって実現してもよい。
【００９２】
後者の場合、冷蔵庫１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９３】
〔まとめ〕
本発明の態様１に係る電子装置は、装置が有する各機能を設定する機能設定部１０６を備えた電子装置であって、設定すべき機能を全てユーザに設定させる第１設定モード（詳細設定モード）と、上記第１設定モードにおいて設定する機能の少なくとも一つの機能のユーザによる設定をスキップする第２設定モード（簡単設定モード、スキップモード）と、が選択可能であり、上記機能設定部１０６は、初期設定時に、上記第２設定モードが選択されたとき、当該電子装置（冷蔵庫１）において最も運転効率が高くなるように、スキップされた機能の設定を行なうことを特徴としている。
【００９４】
上記構成によれば、設定すべき機能を全てユーザに設定させる第１設定モードと、上記第１設定モードにおいて設定する機能の少なくとも一つの機能のユーザによる設定をスキップして残りの機能を設定する第２設定モードと、が選択可能であることで、ユーザにとって全ての機能の設定を行なうのが煩わしいと感じたときに、第２設定モードを選択すれば、ユーザにとって煩わしい操作を省略することが可能となる。
【００９５】
しかも、第２設定モードを選択すれば、当該電子装置において最も運転効率が高くなるように、スキップされた機能の設定を行なうことになるので、当該電子装置における消費電力を必要最小限にすることが可能となる。従って、ユーザが意図せずに電子装置の省エネ化を図ることが可能となる。
【００９６】
本発明の態様２に係る電子装置は、上記態様１において、上記第２設定モードは、ユーザによって設定可能な機能の一部のみをユーザに設定させる一部設定モード（簡単設定モード）であってもよい。
【００９７】
上記の構成によれば、第２設定モードは、ユーザによって設定可能な機能の一部のみを設定する設定モードであることで、ユーザにとって煩わしい操作を省略することができる。
【００９８】
本発明の態様３に係る電子装置は、上記態様１または２において、上記第２設定モードは、ユーザによって設定可能な全ての機能の設定をスキップするスキップモードであってもよい。
【００９９】
上記構成によれば、第２設定モードは、ユーザによって設定可能な全ての機能の設定をスキップするスキップモードであることで、ユーザにとって煩わしい操作を完全に省略することができる。
【０１００】
本発明の態様４に係る電子装置は、上記態様１〜３の何れか１態様において、上記第２設定モードが選択されたら、当該電子装置の省電力化を実現するための機能を設定する省電力設定モードを実行してもよい。
【０１０１】
上記構成によれば、第２設定モードが選択されたら、当該電子装置の省電力化を実現するための機能を設定する設定モードを実行することで、ユーザによる省電力の設定を行なうことができる。
【０１０２】
本発明の態様５に係る電子装置は、上記態様４において、上記省電力設定モードは、電子装置における負荷を設定する負荷設定モードであってもよい。
【０１０３】
上記構成によれば、省電力設定モードは、電子装置における負荷を設定する負荷設定モードであることで、電子装置の負荷に応じた無駄のない省電力化を可能にする。
【０１０４】
本発明の態様６に係る電子装置は、上記態様５において、上記電子装置が冷蔵庫１である場合、上記負荷設定モードは、冷却機能を実現するための少なくともコンプレッサ（圧縮機１３５）の回転数を制御するための制御モードであってもよい。
【０１０５】
上記構成によれば、負荷設定モードは、冷却機能を実現するための少なくともコンプレッサの回転数を制御するための制御モードであることで、冷蔵庫にとって冷却機能を考慮した省電力化を可能にする。
【０１０６】
本発明の態様７に係る電子装置は、上記態様６において、上記制御モードは、冷蔵庫１が備える外気温センサ（周囲温度検出器１３１）によって検知された外気温と、現在時刻とから、上記コンプレッサ（圧縮機１３５）の回転数を制御してもよい。
【０１０７】
上記構成によれば、制御モードは、冷蔵庫が備える外気温センサによって検知された外気温と、現在時刻とから、上記コンプレッサの回転数を制御することで、例えば外気温が所定の温度以上であると検知された場合に直ぐにコンプレッサの回転数をあげるのではなく、現在時刻が所定の時刻（例えば１４：００）前であれば、今後外気温が上がると予想されるため、コンプレッサの回転数をあげ、所定時刻の後であれば、今後外気温は上がらないと予測されるため、コンプレッサの回転数をあげないか、あるいは上げ幅を小さくする。これにより、コンプレッサの回転数を不要に上げることがないため、省電力化を図ることができる。
【０１０８】
本発明の態様８に係る電子装置は、上記態様６において、上記制御モードは、ユーザの買い物の頻度に応じて、上記コンプレッサ（圧縮機１３５）の回転数を制御してもよい。
【０１０９】
上記構成によれば、上記制御モードは、ユーザの買い物の頻度に応じて、上記コンプレッサの回転数を制御することで、例えばユーザが毎日買い物をすると設定されていれば、冷蔵庫の扉が１度に開く時間が短く、且つ冷蔵庫に入れる物の量も少ないと予測されるので、コンプレッサの回転数を上げないか、あるいは上げ幅を小さくし、ユーザが週末のみ買い物をすると設定されていれば、冷蔵庫の扉が１度に開く時間が長く、且つ、例冷蔵庫に入れる物の量が多いと予測されるので、コンプレッサの回転数を上げる。これにより、コンプレッサの回転数を必要なときだけあげるようになるので、省電力化を図ることができる。
【０１１０】
本発明の各態様に係る制御部は、コンピュータによって実現してもよく、この場合には、コンピュータを上記制御部が備える各部（ソフトウェア要素）として動作させることにより上記制御部をコンピュータにて実現させる制御部の制御プログラム、およびそれを記録したコンピュータ読み取り可能な記録媒体も、本発明の範疇に入る。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１２】
１  冷蔵庫（電子装置）
２  通信装置
３  ルータ
４  情報サーバ
６  ネットワーク
１０  冷蔵システム
１１  ドア
１００  制御部
１０１  冷却制御部
１０２  製氷制御部
１０３  ドア制御部
１０４  モード制御部
１０５  イオン制御部
１０６  機能設定部
１１０  記憶部
１２０  送受信部
１３１  周囲温度検出器
１３２  ドアスイッチ
１３３  製氷装置
１３４  ドア開放装置
１３５  圧縮機（コンプレッサ）
１３６  送風機
１３７  ダンパ
１３８  霜取りヒータ
１３９  イオン発生装置
１４０  表示装置
１４１  表示パネル
１４２  タッチパネル
【図１】
2019045069.tif 000003
【図２】
2019045069.tif 000004
【図３】
2019045069.tif 000005
【図４】
2019045069.tif 000006
【図５】
2019045069.tif 000007
【図６】
2019045069.tif 000008
【図７】
2019045069.tif 000009
【図８】
2019045069.tif 000010